(57)【要約】【課題】アノード、カソード間の距離を一定に保つことができ、アノード、カソードの自重による傾きや点灯時のカソードの揺れを防止し、長尺化を可能とするフィールドエミッションランプを提供する。【解決手段】ステム１  ５とステム２  ６を有し、両ステム間にアノード１とカソード２を支持する支持用スペーサー７を少なくとも１個以上有し、ステム１  ５、ステム２  ６、支持用スペーサー７はガラス棒８で接続され、各々の距離は一定に保たれることを特徴とする。【選択図】図１
2007115570.tif 000002
【特許請求の範囲】
【請求項１】
蛍光体が塗布された陽極電極と、前記陽極電極に対向して設けられた陰極電極と、前記陽極電極と前記陰極電極とを収容する透光性筒状体と、前記透光性筒状体内の真空度を促進するための真空促進部材とを有するフィールドエミッションランプにおいて、
前記透光性筒状体の両端の開口部を機密封止する２つの機密封止部材と、
前記陽極電極と前記陰極電極とを支持する少なくとも１以上の支持部材と、
を有することを特徴とするフィールドエミッションランプ。
【請求項２】
請求項１に記載のフィールドエミッションランプにおいて、
前記支持部材は前記２つの機密封止部材の間に設けられることを特徴とするフィールドエミッションランプ。
【請求項３】
請求項１に記載のフィールドエミッションランプにおいて、
前記機密封止部材と前記支持部材とは接続部材で接続されており、該機密封止部材と該支持部材との距離が一定に保たれることを特徴とするフィールドエミッションランプ。
【請求項４】
請求項１に記載のフィールドエミッションランプにおいて、
前記真空促進部材は、前記機密封止部材と該機密封止部材に隣接する前記支持部材との間に設けられることを特徴とするフィールドエミッションランプ。
【発明の詳細な説明】
【技術分野】
【０００１】
本発明はフィールドエミッションランプに関し、特に管状発光型のフィールドエミッションランプに関する。
【背景技術】
【０００２】
薄型ディスプレイとして需要が高まっている液晶ディスプレイは、自己発光の機能がなく光源となるバックライトを必要とする。バックライトの光源としては、冷陰極管や白色発光ダイオードが利用されている。前者は低消費電力である反面水銀が使用されており環境上の課題がある。一方後者は長寿命で色純度が高い反面コスト面から大型化にはいまだ課題が残っている。そこで従来の課題を解消する新たな光源として注目されているのがフィールドエミッションランプである。
【０００３】
フィールドエミッションランプ（以下、ＦＥランプとする）には、平面発光型のＦＥランプと管状発光型のＦＥランプとがあり、前者は平面形状で薄型化に向くが寿命が短く、後者は寿命が長いが管状で厚みがあり薄型化に課題がある。管状発光型（以下、単に管状型とする）のＦＥランプにおいて、その形状の小型化と高解像度を提案した発明としては例えば特許文献１がある。
【０００４】
ここで管状型のＦＥランプについて、図面を用いて簡単に説明する。
【０００５】
図２は従来の管状型ＦＥランプの手前左方向から透視した斜視図である。
【０００６】
１ａはアルミニウム板に蛍光体を塗布し焼成したアノード、２ａはカーボン系芯材からなるカソード、３ａは真空容器内の汚染物を取り除き真空度を促進するゲッターである。カソード２ａには炭素でできたチューブ状のナノサイズの素材であるカーボンナノチューブ等が用いられる。アノード１ａ、カソード２ａ、ゲッター３ａは電極の付いたステム５ａに取り付けられ、ステム５ａとガラス管４ａとが接着される。その接着方法としては、溶着やフリットガラスによる焼成固定等があるが、後者より前者の方が簡便である。なお、９ａはステム５ａに一体的に形成された排気管である。ステム５ａとガラス管４ａの接着後、ガラス管４ａ先端の封じきり、加熱真空排気、封止、ゲッター３ａの活性化を経て、ＦＥランプの管内は高真空に保持される。
【０００７】
ＦＥランプは、アノード１ａとカソード２ａとに印加することで、カソード２ａから電子が放出され、放出された電子がアノード１ａに塗布された蛍光体を励起することにより発光する。
【特許文献１】特開平０９−２７４８９２号公報
【発明の開示】
【発明が解決しようとする課題】
【０００８】
管状型のＦＥランプを薄型の液晶ディスプレイのバックライトとして利用するにあたり、課題となるのがその形状に起因する厚みであり、ＦＥランプの細管化が期待される。
【０００９】
細管化により減少する発光面積は、アノード、カソードの長さを長くすること、すなわちＦＥランプの長尺化によって得ることができる。また、長尺化に伴いＦＥランプの長寿命化も期待できる。
【００１０】
しかしながら、カソードに用いられるカーボン系材料は脆く長尺化が難しい。またＦＥランプ作製は溶着が主体で簡便であるが、溶着つまり溶かして接着するため、カソード、アノードの自重により電極部分が傾き、カソード、アノード間の距離が変わってしまうおそれがある。この点からもＦＥランプの長尺化は難しい。
【００１１】
本発明は、以上の点に着目して成されたもので、アノード、カソード間の距離を一定に保つことができ、長尺化を可能とするフィールドエミッションランプを提供することを目的とする。
【課題を解決するための手段】
【００１２】
この発明は下記の構成を備えることにより上記課題を解決できるものである。
【００１３】
（１）蛍光体が塗布された陽極電極と、前記陽極電極に対向して設けられた陰極電極と、前記陽極電極と前記陰極電極とを収容する透光性筒状体と、前記透光性筒状体内の真空度を促進するための真空促進部材とを有するフィールドエミッションランプにおいて、前記透光性筒状体の両端の開口部を機密封止する２つの機密封止部材と、前記陽極電極と前記陰極電極とを支持する少なくとも１以上の支持部材とを有することを特徴とするフィールドエミッションランプ。
【００１４】
（２）前記（１）に記載のフィールドエミッションランプにおいて、前記支持部材は前記２つの機密封止部材の間に設けられることを特徴とするフィールドエミッションランプ。
【００１５】
（３）前記（１）に記載のフィールドエミッションランプにおいて、前記機密封止部材と前記支持部材とは接続部材で接続されており、該機密封止部材と該支持部材との距離が一定に保たれることを特徴とするフィールドエミッションランプ。
【００１６】
（４）前記（１）に記載のフィールドエミッションランプにおいて、前記真空促進部材は、前記機密封止部材と該機密封止部材に隣接する前記支持部材との間に設けられることを特徴とするフィールドエミッションランプ。
【発明の効果】
【００１７】
本発明によれば、両ステム間に支持用スペーサーを設けることで、カソード、アノードが自重で傾くことを防止し、また、点灯時のカソードの揺れを防ぎ、カソード、アノード間距離を一定に保つことが可能である。これに伴いＦＥランプの長尺化が可能となる。
【００１８】
また、ステムと支持用スペーサーをガラス棒で固定することにより、バーナー溶着時の加工の難易度を低減し、加工精度の向上が期待できる。
【発明を実施するための最良の形態】
【００１９】
以下本発明を実施するための最良の形態を、実施例により詳しく説明する。
【実施例】
【００２０】
図１は本実施例の管状細管型フィールドエミッションランプの手前右方向から透視した斜視図である。
【００２１】
１はアルミニウム板に蛍光体を塗布し焼成した陽極電極であるアノード、２は陰極電極でありカーボン系芯材からなるカソードである。カソード２にはカーボンロッド、カーボンロッドをプラズマエッチングしたもの、あるいは芯材としてピアノ線などにカーボンペースト（＋カーボンナノチューブ、カーボンナノホーン、カーボンマルチウォール等）を塗り、焼成したものを用いる。３は真空容器内の汚染物を取り除き容器内の真空度を促進する真空促進部材としてのゲッターである。
【００２２】
４は透光性筒状体としての円筒状のガラス管であり、その両端の開口部に機密封止部材であるステム１  ５とステム２  ６が接着される。ステム２  ６にはアノード１とカソード２との間に印加するための電極が取り付けられている。なお、９、１０はそれぞれステム１  ５とステム２  ６に一体に形成された排気管である。
【００２３】
７は支持部材としての支持用スペーサーであり、ステム1  ５とステム２  ６の間に設けられる。支持用スペーサー７には、アノード１とカソード２を支持するための穴が設けられており、アノード１とカソード２はステム２  ６と支持用スペーサー７により支持されることになる。
【００２４】
アノード１とカソード２との間に印加することでカソード２から電子が放出され、放出された電子がアノード１の蛍光体を励起することにより発光する。すなわちこの部分が発光部となる。
【００２５】
このような構成にすることにより、アノード１とカソード２との距離が一定に保たれ、それぞれの自重で傾くことや点灯時のカソードの揺れを防ぐことができる。
【００２６】
８はステム１  ５、ステム２  ６、支持用スペーサー７を接続するための接続部材としてのガラス棒である。ステム１  ５、ステム２  ６、支持用スペーサー７はこのガラス棒８で接続されることによりそれぞれの距離が一定に保たれる。またガラス棒８で固定することにより、ガラス溶着時の加工の難易度を低減することができ、加工精度の向上が期待できる。
【００２７】
このように、支持用スペーサー７やガラス棒８を有することにより、ＦＥランプの長尺化が可能となる。
【００２８】
３はＦＥランプ内の真空度を促進するための真空促進部材としてのゲッターである。ゲッター３はステム１  ５、ステム２  ６との間に支持用スペーサー７を設けることにより生じたステム１  ５と支持用スペーサー７との間隙に設けられる。
【００２９】
このようにゲッター３を発光部と別に設けることにより、ゲッター３として蒸発させて活性化させるタイプのゲッター材を使用しても、蒸発後の薄膜がＦＥランプの発光部内に入り込むことを防止できる。
【００３０】
なお、本実施例では支持用スペーサーを１つ設けたが、支持用スペーサーは１つ以上設けてもよい。支持用スペーサーを複数個設ける場合、ゲッター３はステム１  ５とステム１  ５に隣接する支持用スペーサーとの間に設けられる。
【産業上の利用可能性】
【００３１】
本発明のフィールドエミッションランプは、液晶ディスプレイ用のバックライトとして利用可能であり、さらには長尺化により一般照明としても利用可能である。
【図面の簡単な説明】
【００３２】
【図１】本実施例の管状細管型フィールドエミッションランプの手前右方向から透視した斜視図
【図２】従来型管状型フィールドエミッションランプの手前左方向から透視した斜視図
【符号の説明】
【００３３】
１    アノード（陽極電極に相当）
２    カソード（陰極電極に相当）
３    ゲッター（真空促進部材に相当）
４    ガラス管（透光性筒状体に相当）
５    ステム１（機密封止部材に相当）
６    ステム２（機密封止部材に相当）
７    支持用スペーサー（支持部材に相当）
８    ガラス棒（接続部材に相当）
【図１】
2007115570.tif 000003
【図２】
2007115570.tif 000004